(57)【特許請求の範囲】
【請求項１】
前部に集塵室を配し、後部にモーターを内蔵するモーター室を配した掃除機本体と、前記集塵室とモーター室を仕切る仕切壁と、前記集塵室に形成されホースの一端に接続された吸気パイプを接続する吸引口と、前記吸引口の集塵室側に装着される紙袋とを備え、前記仕切壁の前記吸引口に対向する部分を後方に突出させて、前記吸気パイプと仕切壁との間の距離を大きくすることにより、前記紙袋内に勢い良く飛び込んできた塵埃が、紙袋を介して前記仕切壁に強く衝突して紙袋が破けることを防止すると共に、塵詰まりの発生を防止することを特徴とした電気掃除機。
【発明の詳細な説明】
【０００１】
【発明の属する技術分野】
本発明は、一般家庭にて使用される電気掃除機に関するものである。
【０００２】
【従来の技術】
従来、この種の電気掃除機は、実開昭５２−１２１１６号公報に示すようになっていた。
【０００３】
以下、図４を用いて説明する。３は、上方に集塵室１を、下方にモーター２ａを内蔵したモーター室２を夫々配置した掃除機本体で、その掃除機本体３の上部にパイプ４を介してハンドル５が取りつけられていた。集塵室１は、前方に開口部７ａを有したダストボックス７と、前記開口部７ａを開閉自在に覆う集塵室蓋８で形成されている。
【０００４】
モーター室２は、前記ダストボックス７の下部とその開口部を覆うモーター室蓋９で形成されている。１５は、一端が集塵室１の内部に臨み、他端が後述の吸気パイプ１４に接続される連結管で、集塵室１側の端部に略円弧状の壁１５ａが設けられている。６は、吸引された塵埃を捕集するフィルターで、吸引開口部６ｃを設けた口板６ｂと、ろ紙６ａで形成されている。
【０００５】
フィルター６の集塵室１への装着は、口板６ｂの吸引開口部６ｃを連結管１５の集塵室１側の端部に挿入する事で完了する。１０は、ダストボックス７と、集塵室蓋８との分割線であり、集塵室蓋８の最前部と略平行でかつほぼ直線状に構成されていた。
【０００６】
１１はノズル本体で、下面の前方に塵埃を吸引するための塵埃吸込口１１ａを有し、上記分割線１０上の近傍にある回動軸１２を中心に回動自在に、本体３に取着されている。
【０００７】
１３はホ−スで、一端は塵埃吸込口１１ａに連通するようにノズル本体１１に取りつけられ、他端は吸気パイプ１４を介して連結管１５に接続されている。
【０００８】
上記構成により、掃除機本体を運転すると、モーター室２内のモーター２ａによる吸引力で、図４の矢印で示すように塵埃吸込口１１ａから吸引された塵埃は、ホ−ス１３、吸気パイプ１４、連結管１５を経てフィルター６に到達する。連結管１５の集塵室１側に略円弧状の壁１５ａが形成されているので、吸気パイプ１４側より、特に固形物のような塵埃が勢い良く入って来ても、前記壁１５ａで下方に方向が変えられるので、連結管１５の軸方向に位置するフィルター６のろ紙６ａを破ることがない。
【０００９】
【発明が解決しようとする課題】
しかし、このような構成のものにあっては、連結管１５の端部に略円弧状の壁１５ａがあるため、特に大きな塵埃が吸気パイプ１４側から入ってくると、連結管１５の内部で詰まる問題があった。また、連結管１５の端部にフィルター６を装着する際、ダストボックス７が浅い為、ろ紙６ａの上部がダストボックス７内に十分納まらず、その開口縁７ａと集塵室蓋８との間に、ろ紙６ａが誤って挟まれ、集塵室内の気密性が低下する問題があった。
【００１０】
本発明は上記問題を解決しようとするもので、吸気パイプから流れてくる塵埃の詰まりを防止し、また、ダストボックスと集塵室蓋との間に、紙袋の一部が挟まるのを防止し、使用性の良い電気掃除機を提供することを目的とするものである。
【００１１】
【課題を解決するための手段】
上記課題を解決するための本発明は、前部に集塵室を配し、後部にモーターを内蔵するモーター室を配した掃除機本体と、前記集塵室とモーター室を仕切る仕切壁と、前記集塵室に形成されホースの一端に接続された吸気パイプを接続する吸引口と、前記吸引口の集塵室側に装着される紙袋とを備え、前記仕切壁の前記吸引口に対向する部分を後方に突出させて、前記吸気パイプと仕切壁との間の距離を大きくすることにより、前記紙袋内に勢い良く飛び込んできた塵埃が、紙袋を介して前記仕切壁に強く衝突して紙袋が破けることを防止すると共に、塵詰まりの発生を防止するものである。
【００１２】
【発明の実施の形態】
本発明の請求項１記載の発明は、前部に集塵室を配し、後部にモーターを内蔵するモーター室を配した掃除機本体と、前記集塵室とモーター室を仕切る仕切壁と、前記集塵室に形成されホースの一端に接続された吸気パイプを接続する吸引口と、前記吸引口の集塵室側に装着される紙袋とを備え、前記仕切壁の前記吸引口に対向する部分を後方に突出させて、前記吸気パイプと仕切壁との間の距離を大きくすることにより、前記紙袋内に勢い良く飛び込んできた塵埃が、紙袋を介して前記仕切壁に強く衝突して紙袋が破けることを防止すると共に、塵詰まりの発生を防止するものである。
【００１３】
【実施例】
（参考例１）
以下、本発明の第１の参考例について図１を用いて説明する。
【００１４】
掃除機本体１６には、下方にモーター２４ａを内蔵したモーター室２４を、上方に集塵室１８がそれぞれ設けられている。集塵室１８は、前方開口のダストボックス２３と、その開口部１８ａを開閉自在に覆う集塵室蓋２２で形成され、前記ダストボックス２３の後壁に、連結部１９ａが設けられ、この連結部１９ａの集塵室１８側端部に集塵用の紙袋２０が着脱自在に装着される。
【００１５】
１９は、前記連結部１９ａの他端に回転自在に接続された吸気パイプで、この吸気パイプ１９の他端には、ホース２１が連通するように接続されている。
【００１６】
モーター室２４の開口部はモーター室蓋２４ｃで覆われると共に、集塵室１８側には吸引口２４ｂが設けられている。
【００１７】
前記集塵室蓋２２と前記モーター室蓋２４ｃとで形成される分割部２５には回動係止部２６が設けられ、また、前記集塵室蓋２２の上部に尾錠２７が形成され、集塵室蓋２２は、前記回動係止部２６を支点に回動自在で、かつ集塵室１８に着脱自在に設けられている。
【００１８】
掃除機本体１６の下部には、ダストボックス２３あるいはモーター室蓋２４ｃあるいはその双方の側面に設けた軸２８あるいは穴部２９を回動中心３０として、ノズル部３１が回動自在に設けられている。ノズル部３１の下面前部に塵埃吸込口３１ａが設けられ、ホース２１に連通している。
【００１９】
掃除機本体１６の上面には、ハンドル３２が配設されている。集塵室蓋２２の前記連結部１９ａに対向する壁面に外方向に突出させた突出部３４が形成されている。
【００２０】
上記構成により、掃除機本体１６を運転すると、塵埃吸込口３１ａから吸引された塵埃を含む空気がホース２１、吸気パイプ１９、連結部１９ａを経て、集塵室１８内の紙袋２０内に捕集され、きれいになった空気は、吸引口２４ｂより吸引され、モーター室２４を経て外部に排出される。
【００２１】
集塵室蓋２２の連結部１９ａに対向する位置にある突出部３４により、連結部１９ａの紙袋２０の装着位置２０ａから、集塵室蓋２２の内壁までの距離（Ｌ）が大きくとれるので、連結部１９ａから塵埃が紙袋２０内に勢い良く飛び込んできても、紙袋を介して集塵室蓋２２の内壁に強く衝突する前に塵埃は吸引風の流れに従って下方に向かうため、従来のような円弧状の壁を連結部１９ａの端部に設けなくても、紙袋２０が破けることがない。
【００２２】
また、集塵容積が増し、かつ、連結部１９ａから流れてくる塵埃の通路が大きくなり、塵詰まりの発生を防止できる。
【００２３】
（参考例２）
次に、本発明の第２の参考例を同図１および図２にもとづいて説明する。なお、上記参考例と同一部分については、同一符号を付してその説明を省略する。
【００２４】
図に於いて、３５は集塵室蓋２２とダストボックス２３の分割線であると共に、ダストボックス２３の開口縁でもある。この分割線３５の連結部１９ａに対向する部分は集塵室蓋２２の突出部３４と略平行に形成されている。
【００２５】
上記構成により、連結部１９ａの紙袋２０の装着位置２０ａが分割線３５に対し深くなるので、集塵室蓋２２とダストボックス２３の開口縁との間で、紙袋２０が挟み込まれる事もなくなり、集塵室１８内の気密性を十分確保して、十分な集塵効果を得ることができるものである。
【００２６】
（参考例３）
次に、本発明の第３の参考例を図１にもとづいて説明する。
【００２７】
本参考例では、集塵室蓋２２の外方に突出した突出部３４の断面形状を略円弧状に形成したもので、それにより、連結部１９ａから流入する空気は、集塵室１８内で旋回する事なく突出部３４の内壁に沿ってスムーズに下方に流れる為、紙袋２０内で部分的に塵埃が堆積することが無くなる。さらには、連結部１９ａから流れてくる塵が、紙袋２０を介して集塵室蓋２２の内壁に当たっても、突出部３４が略円弧状になっているので、衝撃が緩衝され紙袋２０の破れを防止できる効果もある。
【００２８】
（実施例１）
次に、本発明の請求項１記載の発明に対応する第１の実施例を図３にもとづいて説明する。
【００２９】
上記第１〜第３の参考例では、縦形電気掃除機の例を用いて説明したが、本実施例では床移動形電気掃除機について述べる。
【００３０】
図に於いて、３９は、前部に塵埃を捕集する紙袋２０を取着する集塵室１８を、後部にモーター３７を内蔵したモーター室３７ａとコード巻き取り装置３８をそれぞれ配した電気掃除機本体である。
【００３１】
４０は、モーター室３７ａと集塵室１８とを仕切る仕切壁であり、モーター３７に対向する位置に吸気孔４１が形成されている。４２は前記吸気孔４１を覆うように設けられた第２フィルターである。
【００３２】
１９は、ホース（図示せず）の一端に接続された吸気パイプで、集塵室１８の吸引口１８ａに着脱自在に接続されている。また、紙袋２０は、吸引口１８ａの集塵室１８側に装着される。
【００３３】
仕切壁４０の吸気パイプ１９に対向する部分に、略円弧状に後方に突出する突出部３４が形成されている。
【００３４】
上記構成より、紙袋２０を装着する位置から、前記仕切壁４０までの距離（Ｌ）が大きくとれ、集塵容積が増し、かつ、吸気パイプ１９から流れてくる塵の通路が長くなり、塵詰まりの発生することを防止できる。
【００３５】
なお、上記各参考例、実施例では、使い捨て可能な紙袋を用いて集塵袋を構成して、使い勝手を向上させているが、例えば布製の集塵袋であっても同様の効果が得られる。
【００３６】
【発明の効果】
以上のように、本発明の請求項１記載の発明によれば、仕切壁の吸気パイプと対向する部分を後方に突出させたことより、吸気パイプと仕切壁との間の距離が大きくなり、集塵容積を大きくとれ、さらに塵詰まりがなくなるものである。
【図面の簡単な説明】
【図１】  本発明の第１〜第３の参考例を示す電気掃除機の一部破断側面図
【図２】  同電気掃除機の集塵室蓋を取り外した状態の斜視図
【図３】  本発明の第１の実施例を示す電気掃除機の一部破断平面図
【図４】  従来の電気掃除機を示す一部破断側面図
【符号の説明】
１６  掃除機本体
１８  集塵室
１８ａ  吸引口
１９  連結部
２１  ホース
２２  集塵室蓋
２４  モーター室
３１  ノズル部
３１ａ  塵埃吸込口
３４  突出部
３７ａ  モーター室
３９  掃除機本体
４０  仕切壁
【図１】
0003956428.tif 000002
【図２】
0003956428.tif 000003
【図３】
0003956428.tif 000004
【図４】
0003956428.tif 000005